(57)【要約】【課題】泥漿の排出を簡単に行うことができるようにする。【解決手段】便器本体は、便鉢２と、その後方に設けられた洗浄水給水部１２と、便鉢２と洗浄水給水部１２との間において上下に壁を有したトンネル状に形成され洗浄水給水部１２から便鉢２へ洗浄水を通水可能な通水部１７とを備え、通水部１７を構成する下壁１７Ｂには成形時の泥漿を外部に排出可能に開口するが、泥漿の排出後には閉止される泥漿排出口１１が形成されるとともに、下壁１７Ｂの前部には便鉢２へ向けて下り勾配となった前部排出案内面３０が形成される一方、下壁１７Ｂの後部には前記前部排出案内面３０とは逆の勾配を有し泥漿排出口１１へ向けて下り勾配となった後部排出案内面３１が形成されている。【選択図】図２
2015194004.tif 000002
【特許請求の範囲】
【請求項１】
便鉢と、
前記便鉢の後方に設けられた洗浄水給水部と、
前記便鉢と前記洗浄水給水部との間において上下に壁を有したトンネル状に形成され前記洗浄水給水部から前記便鉢へ洗浄水を通水可能な通水部とを備え、
前記通水部を構成する下壁には成形時の泥漿を外部に排出可能に開口するが、前記泥漿の排出後には閉止される泥漿排出口が形成されるとともに、
前記下壁の前部には前記便鉢へ向けて下り勾配となった前部排出案内面が形成される一方、前記下壁の後部には前記前部排出案内面とは逆の勾配を有し前記泥漿排出口へ向けて下り勾配となった後部排出案内面が形成されていることを特徴とする便器本体。
【請求項２】
前記前部排出案内面と前記後部排出案内面との境界縁は、前記下壁の前部寄りに位置していることを特徴とする請求項１に記載の便器本体。
【請求項３】
前記便鉢には同便鉢の底部に連通する排水路が後方へ向けて延出して形成される一方、前記泥漿排出口は前記排水路に連通して形成されていることを特徴とする請求項１又は請求項２に記載の便器本体。
【発明の詳細な説明】
【技術分野】
【０００１】
本発明は、便器本体に関するものである。
【背景技術】
【０００２】
下記特許文献１には、貯水タンクを備えた大便器が開示されている。大便器の便器本体の内部には貯水タンク内の水を便鉢へ導くための通水路が形成されている。この通水路は便器本体の後部において貯水タンクの内部と入口部を介して連通する共通導水路が形成されている。共通導水路には、さらにゼット導水路とリム導水路が分岐して接続されている。ゼット導水路の出口は便鉢内の底部近くに開口するゼット吐水口として開口している。また、リム導水路はリム部内においてリム部の片側半周領域に亘って延出し、便鉢の前部にリム吐水口として開口している。
【先行技術文献】
【特許文献】
【０００３】
【特許文献１】特開２０１３−１９４４１０号公報（図２）
【発明の概要】
【発明が解決しようとする課題】
【０００４】
ところで、便器本体は良く知られるように、成形型内に泥漿を流し込んで所定形状に成形される。しかし、通水路が上記特許文献１のような構造であると、脱型後において内部に泥漿が残留しやすい。特に、上記特許文献１中の図２に示されるように、通水路の底面が水平である場合には泥漿が滞留しやすい。このため、従来では脱型後において専用設備によって便器本体の全体を傾けて内部に残留していた泥漿を強制的に排出するようにしていた。
【０００５】
こうしたことから、便器本体の製造効率が低められ、また上記のような専用設備を必要とする分、製造コストも増大していた。
本発明は上記のような事情に基づいて完成されたものであって、泥漿の排出を簡単に行うようにすることで、製造容易でかつ製造コストの低減を図ることが可能な便器本体の提供を目的とする。
【課題を解決するための手段】
【０００６】
本発明の便器本体は、便鉢と、便鉢の後方に設けられた洗浄水給水部と、便鉢と洗浄水給水部との間において上下に壁を有したトンネル状に形成され洗浄水給水部から前記便鉢へ洗浄水を通水可能な通水部とを備え、通水部を構成する下壁には成形時の泥漿を外部に排出可能に開口するが、泥漿の排出後には閉止される泥漿排出口が形成されるとともに、下壁の前部には便鉢へ向けて下り勾配となった前部排出案内面が形成される一方、下壁の後部には前部排出案内面とは逆の勾配を有し泥漿排出口へ向けて下り勾配となった後部排出案内面が形成されていることを特徴とする。
【発明の効果】
【０００７】
本発明によれば、通水部の下壁は前後で勾配の向きが逆に設定されているため、泥漿を前後に分流させて排出させることができる。すなわち、下壁上に泥漿があっても、前側では前部排出案内面の勾配にしたがって便鉢へと自動的に排出され、後側では後部排出案内面の勾配にしたがって泥漿排出口へ自動的に導かれて排出される。したがって、従来のように便器本体全体を大きく傾斜させずに済むため、製造が簡単である。また、便器本体全体を傾かせるための大がかりな設備も不要であるから、製造コストの低減も図ることができる。
【図面の簡単な説明】
【０００８】
【図１】水洗式の便器本体の平面図
【図２】図１のＡ−Ａ線断面図
【図３】図１のＢ−Ｂ線断面図
【図４】図１のＣ−Ｃ線断面図
【発明を実施するための形態】
【０００９】
本発明における好ましい実施の形態を説明する。
（１）前記前部排出案内面と前記後部排出案内面との境界縁は、前記下壁の前部寄りに位置すると良い。
前後の排出案内面は、共に泥漿の排出に必要な勾配をもって形成されねばならない。仮に、前後の排出案内面の境界縁を下壁の後部寄りに設定すると、排出案内面の前縁の高さ位置は便鉢内の貯留水の水位に近くなってしまう。その点、境界縁を下壁の前部寄りの位置に設定しておけば、排出案内面の前縁の高さを、貯留水の水位から適切に離れた位置に確保することができる。
【００１０】
（２）前記便鉢には同便鉢の底部に連通する排水路が後方へ向けて延出して形成される一方、前記泥漿排出口は前記排水路に連通して形成されるようにしてもよい。
このような構成によれば、後部排出案内面の勾配に沿って泥漿排出口へと導かれた泥漿を排水路へと排出することができる。
【００１１】
＜実施例＞
本実施例の水洗式便器は便器本体１を有している。この便器本体１は、粘土に水を混ぜて泥漿とし、これを成形型に流し込んで所定形状に成形した後に一旦乾燥させ、施釉した後に焼成することによって製造されたものである。
【００１２】
便器本体１の前部には便鉢２が形成されている。図２に示すように、便鉢２は上方に開口して形成され、開口縁の全縁には便座（図示しない）を支持するための便座支持面３が内方へ水平に張り出して形成されている。便座支持面３の下方における便鉢２の内面は棚状にリム通水路４が形成され、洗浄水が旋回流となって流れるようにしている。
【００１３】
便鉢２の底部は排水路５に連通している。排水路５は便鉢２の底部に接続された導入路６と、この導入路６から後方へ連続する上昇流路７と、さらにその下方へと連続する下降流路８とからなっている。
【００１４】
導入路６は便鉢２の底部から後方へ向けて斜め下向きに延出している。導入路６の延出端部に連続する上昇流路７は後方へ向けて斜め上方へと延出している。上昇流路７の延出端部に連続する下降流路８は略真下に向けて延出し、その端部には別途に排水用配管（図示しない）が接続される。
【００１５】
上昇流路７と下降流路８との接続部分における下縁部は下降流路８側へ下り勾配となった傾斜面１０が形成されている。図２に示す便器本体１の側断面視において、上記傾斜面１０の上縁の位置は、後述する泥漿排出口１１より前方に位置するように形成されている。したがって、泥漿排出口１１から落下した泥漿が直接、上昇流路７上に落下することはない。泥漿は傾斜面１０上に落下することになり、傾斜面１０の勾配に沿って下降流路８へと導かれる。
便鉢２の後方には洗浄水を便鉢２へ供給するための洗浄水給水部１２が設けられている。洗浄水給水部１２は上方へ開放する筒状に形成され、その上面には洗浄水が貯留される図示しないタンク本体が載置される。洗浄水給水部１２内には洗浄水を二方向に分配するための分配器１３が収納されている。分配器１３は、図示しないタンク本体の流出口に連通する流入管１４と、二方向に分岐する第１・第２の吐水管１５，１６とを有している。
【００１６】
便器本体１の上部であって、洗浄水給水部１２と便鉢２との間には通水部１７が配されている。通水部１７は便器本体１において、便鉢２の後方の部位にトンネル状、つまり上下に壁１７Ａ，１７Ｂを有した状態で形成されている。図２に示すように、通水部１７の背面壁１８は洗浄水給水部１２との仕切り壁を兼ねている。また、この背面壁１８は図２に示すように、下縁側に行くにつれて後退するような勾配が設定されている。換言すれば、洗浄水給水部１２は上方へ拡開するようにして形成されている。また、背面壁１８には左右に一対の通し孔１９が開口し、第１・第２の吐水管１５，１６が挿通されている。
【００１７】
通水部１７内の前部であって便器本体１方向の左右方向中央部には、第１・第２の吐水管１５，１６の先端部に挟まれるようにして前面壁体２０が配されており、通水部１７内の上壁１７Ａと下壁１７Ｂに接続されている。図１、図２に示すように、前面壁体２０の前面２０Ａと後面２０Ｂとは前後方向に間隔をおいて対向し、これによって前面壁体２０は中空状に形成されている。前面壁体２０の後面２０Ｂは背面壁１８との間に前後方向へ所定間隔をおいて対向している。図２に示すように、前面壁体２０の前面２０Ａは便鉢２内の側面を兼ねている。なお、この前面壁体２０の前面２０Ａにも前記した便座支持面３が連続して形成されている。
【００１８】
図１に示すように、通水部１７内における前面壁体２０の左側には第１吐水路２１が形成され、便鉢２の後面の左側上部に第１吐水口２２として開口し、リム通水路４に通じている。したがって、第１吐水管１５から吐出された洗浄水は第１吐水路２１、第１吐水口２２を経てリム通水路４に吐水される。このときの吐水方向はリム通水路４に沿う方向、つまり便鉢２内の周方向に沿う方向であるため、洗浄水は図１において反時計回りの旋回流となって、便鉢２をほぼ一周する。
【００１９】
一方、図１に示すように、通水部１７内における前面壁体２０の右側部には、通水部１７内の左側壁に向けて迫り出した迫り出し部２３が形成されている。このことにより、前面壁体２０の右側に形成された第２吐水路２４は迫り出し部２３において洗浄水の流路幅が狭められ、第１吐水路２１に比べて狭くなっている。
【００２０】
また、通水部１７内における第２吐水路２４の前部であって、迫り出し部２３より前方の位置には規制壁２５が設けられている。この規制壁２５は第２吐水路２４の右側壁から内方へ略直角に張り出すようにして形成されている。前面壁体２０の左側部は前後方向に沿った側壁が形成されているのに対し、迫り出し部２３の迫り出し端部は尖り気味（曲率の大きい円弧状）に形成されている。さらに、規制壁２５の左側端と前面壁体２０の前面（迫り出し部２３の付け根部分）との間に第２吐水口２６が開口している。かくして、第２吐水路２４を通過する過程で、洗浄水は規制壁２５にぶつかって進行方向を急激に内側へ強制的に変更させられ、第２吐水口２６より便鉢２内へ吐水される。
【００２１】
ところで、前述したように、通水部１７は便器本体１内においてトンネル状に形成されているため、便器本体１の成形後において通水部１７から泥漿が抜けにくく内部に残留しやすい。そこで、本実施例の便器本体１には、泥漿を排出しやすい構造的工夫が施されている。
【００２２】
図２に示すように、通水部１７の背面壁１８（洗浄水給水部１２の前面壁体２０でもある）の下縁と通水部１７の下壁１７Ｂの後縁との接続部分であって、便器本体１の左右方向中央部には泥漿排出口１１が上下方向に貫通して形成されている。泥漿排出口１１は排水路５内に連通し、排水路５における上昇流路７と下降流路８との境界部分の上縁側に位置している。また、泥漿排出口１１の真下には傾斜面１０が位置するようになっている。より具体的には、傾斜面１０と上昇流路７との境界となる傾斜面１０の頂点と、泥漿排出口１１との前後方向の位置関係に関し、傾斜面１０の頂点の方が前方に位置するような設定となっている。つまり、泥漿排出口１１から鉛直方向下方に垂線を下すと、傾斜面１０の途中を通過するようにしてある。したがって、泥漿排出口１１から自然落下した泥漿は傾斜面１０の途中位置に落下して、上昇流路７側へは流下しないようになっている。傾斜面１０上に落下した泥漿は、そのまま傾斜面１０の勾配にしたがって流下し、下降流路８を通して外部に排出される。
【００２３】
さらに、泥漿排出口１１は便器本体１の成形時点で開口しているが、泥漿の排出が完了したら、成形泥にて埋められて閉止される。そのために、通水部１７の背面壁１８（洗浄水給水部１２の前壁でもある）の左右方向中央部には作業用の窓孔２７が円形にかつ前方を向いて開口しており（図１、図３参照）、作業者はこの窓孔２７を通して泥漿排出口１１の閉止作業を行うことができる。
【００２４】
図３に示すように、通水部１７の下壁１７Ｂのうち後述する後部排出案内面３１には泥漿を左右方向中央部に集約させるための集約面２８，２９が形成されている。両集約面２８，２９は後部排出案内面３１の左右方向中央部、つまりは泥漿排出口１１が開口する中央部位に向けて下り勾配となった右側及び左側集約面２８，２９が形成されている。これら両集約面２８，２９は左右で略対称に形成されており、泥漿排出口１１が開口する左右方向中央部に泥漿を集めることができる。換言すれば、泥漿排出口１１は右側集約面２８と左側集約面２９の境界縁の後端位置に開口している。
【００２５】
図４に示すように、通水部１７の下壁１７Ｂには前後で傾斜方向が逆となった排出案内面３０，３１が形成されていて、泥漿を前後に振り分けて排出できるようにしている。前部排出案内面３０と後部排出案内面３１は共にほぼ同一勾配でもって形成されている。後部排出案内面３１は前部排出案内面３０との境界縁９を頂縁として泥漿排出口１１側である後方へ向けて下り勾配となっており、その後端縁は通水部１７の背面壁１８の下縁に連続している。
【００２６】
一方、前部排出案内面３０は境界縁９を頂縁として第１・第２吐水口２２，２６側である前方へ向けて下り勾配となっている。
【００２７】
また、前部排出案内面３０と後部排出案内面３１との境界縁９は、図１に二点鎖線で示すように、便器本体１の左右方向に沿って設定され、前面壁体２０の迫り出し部２３における迫り出し端部を通過する線上に沿って設定されている。図１に示すように、この境界縁９は通水部１７を前後方向に分けたときの中央のラインより前方寄り、つまり便鉢２寄りの部位に設定されている。前後の排出案内面３０，３１は、少なくとも泥漿を滑り落すのに必要な勾配でもって形成され、滑り落す機能を前後でほぼ等しく設定している。仮に、本実施例とは逆に後方に設定してしまうと、前部排出案内面３０の前縁の高さ位置、すなわち便鉢２の後部上縁の高さ位置が低くなり過ぎてしまうことになるからである。
【００２８】
上記のように構成された本実施例の作用効果を説明すると、図示しない成形型から取り出された便器本体１は乾燥工程に移される前に、内部に残留している泥漿の排出作業がなされる。特に、通水部１７は便器本体１においてトンネル状に形成されていることから、他の部位に比べて内部に泥漿が残りやすい。
【００２９】
しかし、通水部１７の下壁１７Ｂには前後に排出案内面３０，３１が形成されて、泥漿を前後に振り分けて排出できるようになっている。このうち、前方への排出については、泥漿は前面壁体２０を挟んで第１吐水路２１及び第２吐水路２４を経た２方向に分流した後、図示しない経路にて外部に排出される。
【００３０】
一方、後方への排出について、泥漿は後部排出案内面３１の勾配に沿って後方へ斜め下向き向けて流れると同時に、左右の集約面の勾配に沿っても流れる。その結果、泥漿は泥漿排出口１１へと集められて、ここから下方へ落下する。泥漿排出口１１か落下した泥漿は排水路５の下降流路８から外部へ排出される。前述したように、泥漿排出口１１の真下には傾斜面１０の途中部位が位置しているから、泥漿排出口１１から真下に落下した泥漿は、傾斜面１０上に落下した後、傾斜面１０の勾配に沿って流れ落ち、下降流路８を経て外部に排出される。
【００３１】
上記のようにして通水部１７内の泥漿が排出されれば、泥漿排出口１１の閉止作業がなされる。その場合には、作業者は洗浄水給水部１２の上方から窓孔２７を通して指を差し入れ、成形泥を埋める等して泥漿排出口１１を閉じる。この作業が完了すれば、以後は通常の製造工程を経る。
【００３２】
本実施例の便器本体によれば、泥漿が通水部１７内に残留していたとしても、泥漿は前部排出案内面３０あるいは後部排出案内面３１の勾配に沿って自動的に前方へあるいは後方へ振り分けられて、前方への排出は第１吐水路２１及び第２吐水路２４を経て図示しない経路にて排出され、後方への排出については泥漿排出口１１を経て下降流路８を経て外部に排出される。このように、通水部１７内の泥漿が便器本体１を傾斜姿勢にすることなく、通常の姿勢のままにして自動的に排出することができる。したがって、便器本体１を強制的に傾斜させるための大かがりな装置を必要としないから、製造コストの低減に寄与することができる。
【００３３】
また、前部排出案内面３０と後部排出案内面３１との境界縁９の位置を便鉢２寄りに設定したため、前部排出案内面３０の前縁の高さ位置を便鉢２内の貯留水の水位から上方に離して設定することができる。
【００３４】
さらに、本実施例では泥漿排出口１１から落下した泥漿を既存の排水路５を経て排出することができる。したがって、泥漿を抜き取るための専用の排出路を形成せずにすむため、便器本体１の構造を簡素化することができる。
【００３５】
さらにまた、後部排出案内面３１は左右に集約面２８，２９を形成することで、泥漿排出口１１に泥漿を集約させることができる。したがって、泥漿排出口１１は局所的に配された小さな開口で済むため、泥漿を排出した後の閉止作業を簡単に行うことができる、という効果もある。
【００３６】
＜他の実施例＞
本発明は上記記述及び図面によって説明した実施例に限定されるものではなく、例えば次のような実施例も本発明の技術的範囲に含まれる。
（１）上記実施例では泥漿排出口１１を排水路５に連通させるようにしたが、これに代えて便器本体１の外部に通じる専用の排出路を設けて、この排出路を介して外部に排出するようにしてもよい。
（２）上記実施例では、通水部１７内の流路を二つの流路に分岐した形態を示したが、分岐することなく単一の通水路としてもよい。
（３）上記実施例では、後部排出案内面３１において左右に集約面２８，２９を形成して泥漿を一カ所に集約させるようしたが、集約面を省略して泥漿排出口１１を背面壁１８の下縁に沿ってスリット状に開口する形態のものとしてもよい。また、泥漿排出口１１は背面壁１８の下縁に沿って断続的に複数個設けてもよい。さらに、泥漿排出口１１が設けられる位置は本実施例のものに限定されるべきものではなく、通水部１７の途中の位置であってもよい。
（４）上記実施例では、前部排出案内面３０と後部排出案内面３１の勾配を略等しく設定したが、前後で異なる勾配を設定してもよい。
【符号の説明】
【００３７】
１…便器本体
２…便鉢
５…排水路
９…境界縁
１１…泥漿排出口
１２…洗浄水給水部
１７…通水部
１７Ａ…上壁
１７Ｂ…下壁
３０…前部排出案内面
３１…後部排出案内面
【図１】
2015194004.tif 000003
【図２】
2015194004.tif 000004
【図３】
2015194004.tif 000005
【図４】
2015194004.tif 000006